【手続補正書】
【提出日】平成17年10月25日(2005.10.25)
【手続補正１】
【補正対象書類名】明細書
【補正対象項目名】発明の名称
【補正方法】変更
【補正の内容】
【発明の名称】情報処理システム、情報処理装置及びその方法
【手続補正２】
【補正対象書類名】明細書
【補正対象項目名】特許請求の範囲
【補正方法】変更
【補正の内容】
【特許請求の範囲】
【請求項１】  情報処理システムであって、
複数ページで構成される画像データと前記画像データの設定情報を記憶する記憶手段と、
前記記憶手段に記憶された前記画像データの設定情報から、前記画像データの所定ページのサイズを取得する取得手段と、
前記取得手段で取得した前記サイズに基づいて、前記複数ページで構成される画像データの各ページのサイズを変更する変更手段と、
前記変更手段により前記サイズが変更された前記画像データを、指定された送信先へ送信する送信手段と
を備えることを特徴とする情報処理システム。
【請求項２】  前記所定ページは、前記画像データの先頭ページである
ことを特徴とする請求項１に記載の情報処理システム。
【請求項３】  前記設定情報の内容の変更を指示する指示手段を更に備える
ことを特徴とする請求項１に記載の情報処理システム。
【請求項４】  前記変更手段は、前記取得手段が取得した前記サイズと同一サイズになるように、前記複数ページで構成される画像データの各ページのサイズを拡大／縮小する
ことを特徴とする請求項１に記載の情報処理システム。
【請求項５】  前記設定情報に前記画像データにカバーページを添付する指示がされている場合、前記変更手段は、前記取得手段が取得した前記サイズに基づいて、前記カバーページのサイズを変更する
ことを特徴とする請求項１に記載の情報処理システム。
【請求項６】  前記変更手段で前記サイズが変更された前記カバーページを前記画像データに追加する追加手段を更に備える
ことを特徴とする請求項５に記載の情報処理システム。
【請求項７】  前記情報処理システムは前記画像データを電話回線を介して送信するファクシミリ送信手段を有し、
前記画像データは、ファクシミリデータである
ことを特徴とする請求項１乃至６のいずれか１項に記載の情報処理システム。
【請求項８】  画像データを送信する機能を有する画像送信装置に接続される情報処理装置であって、
複数ページで構成される画像データと前記画像データの設定情報を記憶する記憶手段と、
前記記憶手段に記憶された前記画像データの設定情報から、前記画像データの所定ページのサイズを取得する取得手段と、
前記取得手段で取得した前記サイズに基づいて、前記複数ページで構成される画像データの各ページのサイズを変更する変更手段と、
前記変更手段により前記サイズが変更された前記画像データを、前記画像送信装置が前記画像データを送信すべき宛先を示すアドレス情報とともに前記画像送信装置へ送信する送信手段と、
を備えることを特徴とする情報処理装置。
【請求項９】  前記所定ページは、前記画像データの先頭ページである
ことを特徴とする請求項８に記載の情報処理装置。
【請求項１０】  前記設定情報の内容の変更を指示する指示手段を更に備える
ことを特徴とする請求項８に記載の情報処理装置。
【請求項１１】  前記変更手段は、前記取得手段が取得した前記サイズと同一サイズになるように、前記複数ページで構成される画像データの各ページのサイズを拡大／縮小する
ことを特徴とする請求項８に記載の情報処理装置。
【請求項１２】  前記設定情報に前記画像データにカバーページを添付する指示がされている場合、前記変更手段は、前記取得手段が取得した前記サイズに基づいて、前記カバーページのサイズを変更する
ことを特徴とする請求項８に記載の情報処理装置。
【請求項１３】  前記変更手段で前記サイズが変更された前記カバーページを前記画像データに追加する追加手段を更に備える
ことを特徴とする請求項１２に記載の情報処理装置。
【請求項１４】  前記画像送信装置は、ファクシミリ送信装置であり、
前記画像データは、ファクシミリデータである
ことを特徴とする請求項８に記載の情報処理装置。
【請求項１５】  情報処理方法であって、
複数ページで構成される画像データと前記画像データの設定情報を記憶媒体に記憶する記憶工程と、
前記記憶媒体に記憶された前記画像データの設定情報から、前記画像データの所定ページのサイズを取得する取得工程と、
前記取得工程で取得した前記サイズに基づいて、前記複数ページで構成される画像データの各ページのサイズを変更する変更工程と、
前記変更工程にて前記サイズが変更された前記画像データを、指定された送信先へ送信する送信工程と、
を備えることを特徴とする情報処理方法。
【手続補正３】
【補正対象書類名】明細書
【補正対象項目名】０００５
【補正方法】変更
【補正の内容】
【０００５】
【課題を解決するための手段】
上記の目的を達成するための本発明による情報処理システムは以下の構成を備える。即ち、
情報処理システムであって、
複数ページで構成される画像データと前記画像データの設定情報を記憶する記憶手段と、
前記記憶手段に記憶された前記画像データの設定情報から、前記画像データの所定ページのサイズを取得する取得手段と、
前記取得手段で取得した前記サイズに基づいて、前記複数ページで構成される画像データの各ページのサイズを変更する変更手段と、
前記変更手段により前記サイズが変更された前記画像データを所定の送信先へ送信する送信手段と
を備える。
【手続補正４】
【補正対象書類名】明細書
【補正対象項目名】０００７
【補正方法】変更
【補正の内容】
【０００７】
また、好ましくは、前記設定情報の内容の変更を指示する指示手段を更に備える。
【手続補正５】
【補正対象書類名】明細書
【補正対象項目名】０００８
【補正方法】変更
【補正の内容】
【０００８】
また、好ましくは、前記変更手段は、前記取得手段が取得した前記サイズと同一サイズになるように、前記複数ページで構成される画像データの各ページのサイズを拡大／縮小する。
【手続補正６】
【補正対象書類名】明細書
【補正対象項目名】０００９
【補正方法】変更
【補正の内容】
【０００９】
また、好ましくは、前記設定情報に前記画像データにカバーページを添付する指示がされている場合、前記変更手段は、前記取得手段が取得した前記サイズに基づいて、前記カバーページのサイズを変更する。
【手続補正７】
【補正対象書類名】明細書
【補正対象項目名】００１０
【補正方法】変更
【補正の内容】
【００１０】
また、好ましくは、前記変更手段で前記サイズが変更された前記カバーページを前記画像データに追加する追加手段を更に備える。
【手続補正８】
【補正対象書類名】明細書
【補正対象項目名】００１１
【補正方法】変更
【補正の内容】
【００１１】
また、好ましくは、前記情報処理システムは前記画像データを電話回線を介して送信するファクシミリ送信手段を有し、
前記画像データは、ファクシミリデータである。
【手続補正９】
【補正対象書類名】明細書
【補正対象項目名】００１２
【補正方法】変更
【補正の内容】
【００１２】
上記の目的を達成するための本発明による情報処理装置は以下の構成を備える。即ち、
画像データを送信する機能を有する画像送信装置に接続される情報処理装置であって、
複数ページで構成される画像データと前記画像データの設定情報を記憶する記憶手段と、
前記記憶手段に記憶された前記画像データの設定情報から、前記画像データの所定ページのサイズを取得する取得手段と、
前記取得手段で取得した前記サイズに基づいて、前記複数ページで構成される画像データの各ページのサイズを変更する変更手段と、
前記変更手段により前記サイズが変更された前記画像データを、前記画像送信装置が前記画像データを送信すべき宛先を示すアドレス情報とともに前記画像送信装置へ送信する送信手段と、
を備える。
【手続補正１０】
【補正対象書類名】明細書
【補正対象項目名】００１３
【補正方法】変更
【補正の内容】
【００１３】
また、好ましくは、前記所定ページは、前記画像データの先頭ページである。
【手続補正１１】
【補正対象書類名】明細書
【補正対象項目名】００１４
【補正方法】変更
【補正の内容】
【００１４】
また、好ましくは、前記設定情報の内容の変更を指示する指示手段を更に備える。
【手続補正１２】
【補正対象書類名】明細書
【補正対象項目名】００１５
【補正方法】変更
【補正の内容】
【００１５】
また、好ましくは、前記変更手段は、前記取得手段が取得した前記サイズと同一サイズになるように、前記複数ページで構成される画像データの各ページのサイズを拡大／縮小する。
【手続補正１３】
【補正対象書類名】明細書
【補正対象項目名】００１６
【補正方法】変更
【補正の内容】
【００１６】
また、好ましくは、前記設定情報に前記画像データにカバーページを添付する指示がされている場合、前記変更手段は、前記取得手段が取得した前記サイズに基づいて、前記カバーページのサイズを変更する。
【手続補正１４】
【補正対象書類名】明細書
【補正対象項目名】００１７
【補正方法】変更
【補正の内容】
【００１７】
また、好ましくは、前記変更手段で前記サイズが変更された前記カバーページを前記画像データに追加する追加手段を更に備える。
【手続補正１５】
【補正対象書類名】明細書
【補正対象項目名】００１８
【補正方法】変更
【補正の内容】
【００１８】
また、好ましくは、前記画像送信装置は、ファクシミリ送信装置であり、
前記画像データは、ファクシミリデータである。
【手続補正１６】
【補正対象書類名】明細書
【補正対象項目名】００１９
【補正方法】変更
【補正の内容】
【００１９】
上記の目的を達成するための本発明による情報処理方法は以下の構成を備える。即ち、
情報処理方法であって、
複数ページで構成される画像データと前記画像データの設定情報を記憶媒体に記憶する記憶工程と、
前記記憶媒体に記憶された前記画像データの設定情報から、前記画像データの所定ページのサイズを取得する取得工程と、
前記取得工程で取得した前記サイズに基づいて、前記複数ページで構成される画像データの各ページのサイズを変更する変更工程と、
前記変更工程にて前記サイズが変更された前記画像データを、指定された送信先へ送信する送信工程と、
を備える。
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】０１０１
【補正方法】変更
【補正の内容】
【０１０１】
ステップＳ１１０９で、カバーページが無い（ＣｏｖｅｒＰａｇｅＯｐｔｉｏｎが０（先頭ページの用紙サイズ）の）場合（ステップＳ１１０９でＹＥＳ）には、ステップＳ１１１１へ進む。
【手続補正２１】
【補正対象書類名】明細書
【補正対象項目名】０１０２
【補正方法】変更
【補正の内容】
【０１０２】
一方、ステップＳ１１０９で、カバーページが有る（ＣｏｖｅｒＰａｇｅＯｐｔｉｏｎが１（ＣｏｖｅｒＰａｇｅＳｉｚｅに指定された用紙サイズ）の）場合（ステップＳ１１０９でＮＯ）には、カバーページ設定セクションのＣｏｖｅｒＰａｇｅＳｉｚｅに指定されている用紙ＩＤが示す用紙サイズをカバーページの用紙サイズとする。
【手続補正２２】
【補正対象書類名】明細書
【補正対象項目名】０１２１
【補正方法】変更
【補正の内容】
【０１２１】
【発明の効果】
以上説明したように、本発明によれば、複数種類のサイズが混在する画像データを適切なサイズに変更して送信することができる情報処理システム、情報処理装置及びその方法を提供できる。